(57)【要約】【課題】複数の表示灯における点灯、消灯のパターンを種々に設定できるようにする。【解決手段】複数の表示灯３Ａ、３Ｂ、３Ｃ、……、３Ｘと設定装置２とを備えた表示灯システム１であって、設定装置２は、携帯型の情報端末装置であり、近距離無線通信による設定装置側の送受信部１２と、送受信部１２を介して表示灯３Ａ、３Ｂ、３Ｃ、……、３Ｘにおける点灯、消灯のパターンを点滅パターン情報により通知する演算処理回路１３とを備える。表示灯３Ａ、３Ｂ、３Ｃ、……、３Ｘは、近距離無線通信による送受信部２４と、電波時計２３と、発光部２１と、設定装置２側の送受信部１２から通知された点滅パターン情報を取得し、電波時計でカウントされる現在時刻に基いて、点滅パターン情報により発光部２１を点灯、消灯する表示灯側の演算処理回路２５とを備える。【選択図】図１
2020172834.tif 000002
【特許請求の範囲】
【請求項１】
それぞれ点灯、消灯を繰り返す複数の表示灯と、前記表示灯における点灯、消灯のパターンを設定する設定装置とを備えた表示灯システムであって、
前記設定装置は、
携帯型の情報端末装置であり、
近距離無線通信による設定装置側の送受信部と、
前記設定装置側の送受信部を介して前記表示灯における点灯、消灯のパターンを点滅パターン情報により通知する設定装置側の演算処理回路とを備え、
前記表示灯は、
前記設定装置側の送受信部に対応する近距離無線通信による表示灯側の送受信部と、
現在時刻をカウントする電波時計と、
発光部と、
前記表示灯側の送受信部により前記設定装置側の送受信部から通知された点滅パターン情報を取得し、前記電波時計でカウントされる現在時刻に基いて、取得した点滅パターン情報により前記発光部を点灯、消灯する表示灯側の演算処理回路とを備える
表示灯システム。
【請求項２】
前記点滅パターン情報が、前記複数の表示灯における配置の順序を示す識別情報であり、
前記表示灯側の演算処理回路は、
前記識別情報に基いて、前記複数の表示灯における配置の順序に応じて、前記発光部を点灯、消灯する
請求項１に記載の表示灯システム。
【請求項３】
前記点滅パターン情報が、少なくとも前記発光部における点灯又は消灯のタイミングを示す情報である
請求項１に記載の表示灯システム。
【請求項４】
前記点滅パターン情報には、前記発光部における点灯、消灯の繰り返し周期の情報が含まれる
請求項２又は請求項３に記載の表示灯システム。
【請求項５】
前記点滅パターン情報には、前記複数の表示灯の台数を示す情報が含まれる
請求項１、請求項２、請求項３の何れかに記載の表示灯システム。
【請求項６】
近距離無線通信により設定装置とデータ通信する送受信部と、
現在時刻をカウントする電波時計と、
発光部と、
前記送受信部により設定装置から通知された点滅パターン情報を取得し、前記電波時計でカウントされる現在時刻に基いて、取得した点滅パターン情報により前記発光部を点灯、消灯する演算処理回路とを備える
表示灯。
【請求項７】
携帯型の情報端末装置による設定装置であって、
近距離無線通信により表示灯とデータ通信する送受信部と、
前記送受信部を介して前記表示灯における点灯、消灯のパターンを点滅パターン情報により通知する演算処理回路とを備える
設定装置。
【請求項８】
前記点滅パターン情報が、複数の表示灯における配置の順序を示す識別情報であり、
前記演算処理回路は、
前記点滅パターン情報を通知する毎に前記識別情報を更新する
請求項７に記載の設定装置。
【請求項９】
前記点滅パターン情報が、発光部における点灯又は消灯のタイミングを示す情報であり、
前記演算処理回路は、
前記点滅パターン情報を通知する毎に前記点滅パターン情報を更新する
請求項７に記載の設定装置。
【発明の詳細な説明】
【技術分野】
【０００１】
本発明は、表示灯システム、表示灯、表示灯の設定装置に関し、例えば道路、工事現場に設置されるロードコーンの表示灯に適用することができる。
【背景技術】
【０００２】
従来、道路、工事現場等では、種々の表示灯を使用して通行人、車両に注意を喚起し、安全を確保している。このような表示灯は、例えば円錐形状パイロンの先端、ポールの先端に設けられ、点灯して通行人、車両に注意を喚起しており、作業時、一時的に設置されるもの、道路設備等として恒久的に設置されるものがある。
【０００３】
このような表示灯は、近年、太陽光パネルによる電力をバッテリーに充電して使用する構成が主流になっており、このような表示灯によるシステム（以下、適宜、表示灯システムと呼ぶ）では、表示灯に電力を供給するためのケーブルを設けなくてもよいことにより、設置作業、撤去作業等を簡略化することができる。
【０００４】
このような表示灯システムに関して、特許文献１には、各表示灯に電波時計を設け、この電波時計による時間情報に基いて、点灯、消灯のタイミングを制御することにより、複数の表示灯で点灯、消灯の動作を同時に実行させる構成が開示されている。
この特許文献１に開示の構成によれば、工事区間等に設置した複数の表示灯を同時に点灯させ、さらには同時に消灯させることができ、一段と通行人、車両に注意を喚起することができる。
【先行技術文献】
【特許文献】
【０００５】
【特許文献１】特開２０１１−８４９８７号公報
【発明の概要】
【発明が解決しようとする課題】
【０００６】
ところでこの種の表示灯システムにおいては、システムに設けられた複数の表示灯における点灯、消灯のパターンを種々に設定することができれば、通行人、車両に対してより効果的に注意喚起を行うことが可能と考えられる。
【０００７】
本発明は以上の点を考慮してなされたものであり、複数の表示灯における点灯、消灯のパターンを種々に設定できるようにすることを提案することを目的とする。
【課題を解決するための手段】
【０００８】
係る課題を解決するため、請求項１の発明は、
それぞれ点灯、消灯を繰り返す複数の表示灯と、前記表示灯における点灯、消灯のパターンを設定する設定装置とを備えた表示灯システムであって、
前記設定装置は、
携帯型の情報端末装置であり、
近距離無線通信による設定装置側の送受信部と、
前記設定装置側の送受信部を介して前記表示灯における点灯、消灯のパターンを点滅パターン情報により通知する設定装置側の演算処理回路とを備え、
前記表示灯は、
前記設定装置側の送受信部に対応する近距離無線通信による表示灯側の送受信部と、
現在時刻をカウントする電波時計と、
発光部と、
前記表示灯側の送受信部により前記設定装置側の送受信部から通知された点滅パターン情報を取得し、前記電波時計でカウントされる現在時刻に基いて、取得した点滅パターン情報により前記発光部を点灯、消灯する表示灯側の演算処理回路とを備える。
【０００９】
請求項１の構成によれば、設定装置側の送受信部から通知された点滅パターン情報により、発光部を点灯、消灯することにより、設定装置で設定された点灯、消灯のパターンにより、表示灯で点灯、消灯を繰り返すことができる。また電波時計でカウントされる現在時刻に基いて、発光部を点灯、消灯することにより、複数の表示灯で共通の時間情報により、各表示灯に設定された点灯、消灯のパターンでそれぞれ点灯、消灯を繰り返すことができ、例えば手前側から遠ざかるように表示灯の点灯、消灯を繰り返すことができる。さらには当初設定したこれら複数の表示灯による点灯、消灯のパターンが変化しないようにすることができる。またこの点滅パターン情報を近距離無線通信による送受信部により通知することにより、近距離無線通信を有効に利用して、単に設定装置を順次、表示灯に接触させるだけの簡易な操作により点灯、消灯のパターンを設定することができる。これらの簡易な操作により、複数の表示灯における点灯、消灯のパターンを種々に設定することができる。
【００１０】
請求項２の発明は、
請求項１の構成において、
前記点滅パターン情報が、前記複数の表示灯における配置の順序を示す識別情報であり、
前記表示灯側の演算処理回路は、
前記識別情報に基いて、前記複数の表示灯における配置の順序に応じて、前記発光部を点灯、消灯する。
【００１１】
請求項２の構成によれば、点滅パターン情報を通知する毎に識別情報を更新しながら、設置の順序で単に設定装置を表示灯に接触させて点滅パターン情報を通知することにより、複数の表示灯に点灯、消灯のパターンを設定することができる。これにより一段と簡易な操作により、複数の表示灯における点灯、消灯のパターンを種々に設定することができる。
【００１２】
請求項３の発明は、
請求項１の構成において、
前記点滅パターン情報が、少なくとも前記発光部における点灯又は消灯のタイミングを示す情報である。
【００１３】
請求項３の構成によれば、直接、点灯又は消灯のタイミングを示す情報を通知して、簡易な処理により複数の表示灯における点灯、消灯のパターンを種々に設定することができる。
【００１４】
請求項４の発明は、
請求項２又は請求項３の構成において、
前記点滅パターン情報には、前記発光部における点灯、消灯の繰り返し周期の情報が含まれる。
【００１５】
請求項４の構成によれば、設定装置から点灯、消灯の繰り返し周期を種々に設定することができる。
【００１６】
請求項５の発明は、
請求項１、請求項２、請求項３の何れかの構成において、
前記点滅パターン情報には、前記複数の表示灯の台数を示す情報が含まれる。
【００１７】
請求項５の構成によれば、表示灯の台数の通知により、点灯時間等を可変することができる。
【００１８】
請求項６の発明は、
近距離無線通信により設定装置とデータ通信する送受信部と、
現在時刻をカウントする電波時計と、
発光部と、
前記送受信部により設定装置から通知された点滅パターン情報を取得し、前記電波時計でカウントされる現在時刻に基いて、取得した点滅パターン情報により前記発光部を点灯、消灯する演算処理回路とを備える。
【００１９】
請求項６の構成によれば、設定装置から通知された点滅パターン情報により、発光部を点灯、消灯することにより、設定装置で設定された点灯、消灯のパターンにより、表示灯で点灯、消灯を繰り返すことができる。また電波時計でカウントされる現在時刻に基いて、発光部を点灯、消灯することにより、複数の表示灯で共通の時間情報により、各表示灯に設定された点灯、消灯のパターンでそれぞれ点灯、消灯を繰り返すことができ、例えば手前側から遠ざかるように表示灯の点灯、消灯を繰り返すことができる。また当初設定したこれら複数の表示灯による点灯、消灯のパターンが変化しないようにすることができる。またこの点滅パターン情報を近距離無線通信による送受信部により取得することにより、近距離無線通信を有効に利用して、単に設定装置を順次、表示灯に接触させるだけの簡易な操作により点灯、消灯のパターンを設定することができる。これらの簡易な操作により、複数の表示灯を備えた表示灯システムにおいて、表示灯における点灯、消灯のパターンを種々に設定することができる。
【００２０】
請求項７の発明は、
携帯型の情報端末装置による設定装置であって、
近距離無線通信により表示灯とデータ通信する送受信部と、
前記送受信部を介して前記表示灯における点灯、消灯のパターンを点滅パターン情報により通知する演算処理回路とを備える。
【００２１】
請求項７の構成によれば、近距離無線通信を有効に利用して、単に設定装置を順次、表示灯に接触させるだけの簡易な操作により点灯、消灯のパターンを設定することができる。これにより簡易な操作により、複数の表示灯における点灯、消灯のパターンを種々に設定することができる。
【００２２】
請求項８の発明は、
請求項７の構成において、
前記点滅パターン情報が、複数の表示灯における配置の順序を示す識別情報であり、
前記演算処理回路は、
前記点滅パターン情報を通知する毎に前記識別情報を更新する。
【００２３】
請求項８の構成によれば、設置の順序で単に設定装置を表示灯に接触させて点滅パターン情報を通知することにより、複数の表示灯に点灯、消灯のパターンを設定することができる。これにより一段と簡易な操作により、複数の表示灯における点灯、消灯のパターンを種々に設定することができる。
【００２４】
請求項９の発明は、
請求項７の構成において、
前記点滅パターン情報が、発光部における点灯又は消灯のタイミングを示す情報であり、
前記演算処理回路は、
前記点滅パターン情報を通知する毎に前記点滅パターン情報を更新する。
【００２５】
請求項８の構成によれば、設置の順序で単に設定装置を表示灯に接触させて点滅パターン情報を通知することにより、複数の表示灯に点灯、消灯のパターンを設定することができる。これにより一段と簡易な操作により、複数の表示灯における点灯、消灯のパターンを種々に設定することができる。
【発明の効果】
【００２６】
本発明によれば、複数の表示灯における点灯、消灯のパターンを種々に設定することができる。
【図面の簡単な説明】
【００２７】
【図１】本発明の第１実施形態に係る表示灯システムを示す図である。
【図２】図１の表示システムにおける設定装置を示すブロック図である。
【図３】図１の表示システムにおける表示灯を示すブロック図である。
【図４】図３の表示灯の設置状態を示す図である。
【図５】設定装置による点灯パターン情報の通知の説明に供する図である。
【図６】表示灯の点滅の説明に供する図である。
【図７】表示灯の点滅の説明に供する図表である。
【発明を実施するための形態】
【００２８】
〔第１実施形態〕
図１は、本発明の第１実施形態に係る表示灯システム１を示すブロック図である。
この表示灯システム１は、例えば道路、工事現場等に表示灯３Ａ、３Ｂ、３Ｃ、……、３Ｘを配置して、通行人、車両に注意を喚起するシステムである。この表示灯システム１は、設定装置２、複数の表示灯３Ａ、３Ｂ、３Ｃ、……、３Ｘを備える。表示灯システム１は、設定装置２により表示灯３Ａ、３Ｂ、３Ｃ、……、３Ｘの点滅パターンをそれぞれ設定する。また表示灯３Ａ、３Ｂ、３Ｃ、……、３Ｘで標準電波送信所４から送出される標準電波を受信して、表示灯３Ａ、３Ｂ、３Ｃ、……、３Ｘに設けられた電波時計により現在時刻を検出し、この現在時刻を基準にして設定装置２で設定された点滅パターンにより各表示灯３Ａ、３Ｂ、３Ｃ、……、３Ｘで点灯、消灯を繰り返す。
【００２９】
これによりこの表示灯システム１では、設定装置２により設定する点滅パターンに応じてこれら複数の表示灯３Ａ、３Ｂ、３Ｃ、……、３Ｘにおける点灯、消灯のパターンを種々に設定することができる。また各表示灯３Ａ、３Ｂ、３Ｃ、……、３Ｘで電波時計により現在時刻をそれぞれ検出して、この現在時刻を基準にして各表示灯３Ａ、３Ｂ、３Ｃ、……、３Ｘで点灯、消灯を繰り返すことにより、これら複数の表示灯３Ａ、３Ｂ、３Ｃ、……、３Ｘで共通の時間情報により、各表示灯３Ａ、３Ｂ、３Ｃ、……、３Ｘに設定された点灯、消灯のパターンでそれぞれ点灯、消灯を繰り返すことができ、これにより例えば手前側から遠ざかるように表示灯の点灯、消灯を繰り返すことができる。また長時間、点灯、消灯を繰り返しても、当初設定したこれら複数の表示灯３Ａ、３Ｂ、３Ｃ、……、３Ｘによる点灯、消灯のパターンが変化しないようにすることができる。
なおこの現在時刻の取得にあっては、現在時刻を検出可能な種々の電波時計を適用することができ、例えばデジタル放送によるテレビジョン放送波から取得してもよく、携帯電話、ＧＰＳ衛星の無線通信波から取得するようにしてもよい。
【００３０】
図２は、設定装置２を示すブロック図である。
設定装置２は、内蔵のバッテリー１５により動作する携帯型の情報端末装置であり、操作部１１、送受信部１２、メモリ１４、演算処理回路１３、バッテリー１５を備える。
操作部１１は、表示灯３Ａ、３Ｂ、３Ｃ、……、３Ｘにおける点灯、消灯のパターンの設定等を受け付ける部位であり、例えば各種メニューを表示する画像表示パネル、この画像表示パネルの表示画面に設けられたタッチパネル、さらには各種の操作子により構成することができる。
【００３１】
送受信部１２は、近距離無線通信によるデータ通信により、この設定装置２のデータ通信可能範囲の表示灯（例えば設定装置２の接触した表示灯）３Ａ、３Ｂ、３Ｃ、……、３Ｘに点滅パターンを特定する点滅パターン情報を通知する構成である。より具体的に送受信部１２は、ＮＦＣ（Ｎｅａｒ  ｆｉｅｌｄ  ｃｏｍｍｕｎｉｃａｔｉｏｎ）タグにより構成されるものの、近距離無線通信によりデータ通信可能な種々の構成を広く適用することができる。
【００３２】
演算処理回路１３は、メモリ１４にワークエリアを確保してこの表示灯システム１に係る制御プログラムを実行することにより、この設定装置２の動作を制御する。
すなわち演算処理回路１３は、電源の投入により動作を立ち上げ、操作部１１により表示灯３Ａ、３Ｂ、３Ｃ、……、３Ｘにおける点灯、消灯のパターンの設定を受け付ける。また送受信部１２を介して、設定装置２が表示灯３Ａ、３Ｂ、３Ｃ、……、３Ｘに順次接触して、表示灯３Ａ、３Ｂ、３Ｃ、……、３Ｘと順次データ通信可能となると、このデータ通信可能となった表示灯３Ａ、３Ｂ、３Ｃ、……、３Ｘに送受信部１２により点灯、消灯のパターンを点滅パターン情報により通知する。
【００３３】
図３は、表示灯３Ａ、３Ｂ、３Ｃ、……、３Ｘの構成を示すブロック図である。
表示灯３Ａ、３Ｂ、３Ｃ、……、３Ｘは、図４に示すように、例えばロードコーン３１の頂部に配置される。表示灯３Ａ、３Ｂ、３Ｃ、……、３Ｘは、同一に構成され、これによりこの図３については、表示灯３Ａについて構成を詳述し、他の表示灯３Ｂ、３Ｃ、……、３Ｘについての説明は省略する。
【００３４】
表示灯３Ａは、発光部２１、標準電波受信部２２、電波時計２３、送受信部２４、演算処理回路２５、メモリ２６を備える。さらに表示灯３Ａは、動作用の電源を供給するバッテリー２７、このバッテリー２７に電力を供給して充電する図示しない太陽光パネル等を備え、これにより電力を供給するためのケーブルを設けなくても動作できるように構成される。これにより表示灯システム１は、設置作業、撤去作業等を簡略化することができる。なおバッテリー２７を交換可能として、別途、バッテリー２７を充電装置により充電するようにしてもよい。
【００３５】
発光部２１は、演算処理回路２５による制御により通行人、車両等から視認可能に点灯、消灯する光源により形成され、例えば発光ダイオードにより構成される。
【００３６】
標準電波受信部２２は、標準電波を受信し、受信結果を演算処理回路２５を介して電波時計２３に出力する。
電波時計２３は、標準電波受信部２２による受信結果によりカウント値を補正して現在時刻をカウントするカウンタであり、現在時刻を演算処理回路２５に通知する。
【００３７】
送受信部２４は、設定装置２の送受信部１２に対応する近距離無線通信による構成であり、演算処理回路２５の制御により設定装置２の送受信部１２との間でデータ通信して取得したデータを演算処理回路２５に通知する。
【００３８】
演算処理回路２５は、メモリ２６にワークエリアを確保してこの表示灯システム１に係る制御プログラムを実行することにより、この表示灯３Ａの動作を制御する。
すなわち演算処理回路２５は、電源の投入により動作を立ち上げ、設定装置２が近接して保持されて、設定装置２との間でデータ通信可能となると、送受信部２４からの通知により送受信部２４を介して点滅パターン情報を取得し、メモリ２６に記録して保持する。またこの記録して保持した点滅パターン情報により、順次、発光部２１を点灯、消灯する時刻を算出し、電波時計２３から通知される現在時刻が、この点灯、消灯の時刻になると、発光部２１を点灯、消灯する。
これにより演算処理回路２５は、電波時計で取得される現在時刻を基準にして、設定装置２から通知された点滅パターン情報に基いて、発光部２１を点灯、消灯する。
【００３９】
これらによりこの表示灯システム１では、送受信部１２、２４における近距離無線通信によるデータ通信機能を有効に利用して、図５において矢印により示すように、例えば直線状に、離間して配置された表示灯３Ａ、３Ｂ、３Ｃ、３Ｄ、……に端から順に、設定装置２を接触させるだけの簡易な操作により、各表示灯３Ａ、３Ｂ、３Ｃ、……、３Ｘに点灯、消灯のパターンを設定して、この設定したパターンにより点灯、消灯を繰り返すことができる。これにより表示灯システム１は、複数の表示灯３Ａ，３Ｂ、３Ｃ、……、３Ｘにおける点灯、消灯のパターンを簡易な操作により種々に設定することができる。
【００４０】
〔点灯、消灯のパターン設定〕
ここで点滅パターン情報は、各表示灯で点灯、消灯のパターンを特定可能な種々の構成を広く適用することができ、例えば複数の表示灯３Ａ、３Ｂ、３Ｃ、……、３Ｘにおける配置の順序を示す識別情報を適用することができる。
具体的に、図５について上述したように、表示灯３Ａ、３Ｂ、３Ｃ、……、３Ｘが順次配置されている場合には、この配置の一端側から順次識別情報ＩＤを設定することにより点滅パターン情報として通知するようにしてもよい。
【００４１】
すなわちこの場合、設定装置２側の演算処理回路１３においては、この識別情報ＩＤを初期値（ＩＤ＝０）に設定した後、送受信部１２により一定の時間間隔で表示灯３Ａ、３Ｂ、３Ｃ、……、３Ｘの送受信部２４にリクエストを送出する。
このようにリクエストを繰り返し送出して、設定装置２が表示灯３Ａに接触することにより、表示灯３Ａの送受信部２４から応答が得られると、識別情報ＩＤ＝０を送出する。また送受信部２４から識別情報受信の応答が得られると、識別情報ＩＤのインクリメントにより識別情報ＩＤ（点滅パターン情報）を更新する。
また表示灯３Ａ、３Ｂ、３Ｃ、……、３Ｘへのリクエストの送出を再開し、応答が得られると更新した識別情報ＩＤを通知する。
演算処理回路１３は、このようにして順次点滅パターン情報を通知する毎に更新して表示灯３Ａ、３Ｂ、３Ｃ、……、３Ｘに点滅パターン情報を通知し、図５の例では、手前側より順次ＩＤ＝０、ＩＤ＝１、ＩＤ＝２、ＩＤ＝３により点滅パターン情報が通知される。
【００４２】
このように識別情報を通知して、点灯、消灯のパターンは、この識別情報により特定可能な構成を広く適用することができる。
具体的に、例えば表示灯３Ａ、３Ｂ、３Ｃ、……、３Ｘに点灯時間ＴＯＮ、消灯時間ＴＯＦＦが事前に記録されており、点灯開始のタイミングを、識別情報に応じて一定時間（以下、適宜、遅延時間と呼ぶ）単位で順次変化させるようにすることができる。
この場合、演算処理回路２５は、この点灯時間ＴＯＮ、消灯時間ＴＯＦＦと、点灯開始のタイミングに係る時間、設定装置２から通知された点滅パターン情報とからそれぞれ点灯、消灯する時間を算出し、電波時計２３による現在時刻を基準にして、この算出した時間で発光部２１を点灯させ、また消灯させる。
具体的に、点灯時間ＴＯＮ、消灯時間ＴＯＦＦが１秒、９秒である場合、表示灯３Ａ、３Ｂ、３Ｃ、……、３Ｘは、１秒間、発光部２１を点灯させた後、９秒間消灯し、この点灯と消灯とを繰り返す。また遅延時間ＴＤが１秒である場合、表示灯３Ａ、３Ｂ、３Ｃ、……、３Ｘで、点灯開始のタイミングを順次１秒単位で遅延させて、点灯と消灯とを繰り返す。
これによりこの例では、ＩＤ０の表示灯３Ａは、ＵＴＣ  ０：００：００〜０：００：０１まで点灯し、その後は１０秒周期で１秒間点灯することになる。またＩＤ１の表示灯３Ｂは、ＵＴＣ  ０：００：０１〜０：００：０２まで点灯し、その後は１０秒周期で１秒間点灯することになる。またＩＤ２の表示灯３Ｃは、ＵＴＣ  ０：００：０２〜０：００：０３まで点灯し、その後は１０秒周期で１秒間点灯することになる。またＩＤ３の表示灯３Ｄは、ＵＴＣ  ０：００：０３〜０：００：０４まで点灯し、その後は１０秒周期で１秒間点灯することになる。
【００４３】
図６（Ａ）〜（Ｄ）は、この点灯、消灯のパターンを示す図である。
この図６の例では、点灯時間ＴＯＮを２秒とし、遅延時間ＴＤを１秒とした例であり、表示灯の消灯を塗りつぶしにより示す。この図６によれば、手前側より遠ざかるように表示灯が順次点滅していることが分かる
【００４４】
なお点灯時間ＴＯＮ、消灯時間ＴＯＦＦの何れかに代えて、点灯の繰り返し周期を記録するようにしてもよい。また点灯時間ＴＯＮ、消灯時間ＴＯＦＦの比率と、繰り返し周期を記録するようにしてもよく、種々の構成を広く適用することができる。
またこれら表示灯３Ａ、３Ｂ、３Ｃ、……、３Ｘ側で記録して保持する代わりに、識別情報と共に設定装置２から通知するようにしてもよい。
このように配置の順序を示す識別情報により点滅パターン情報を構成すれば、点滅パターン情報を通知する毎に識別情報を更新しながら、設置の順序で単に設定装置を表示灯に接触させて点滅パターン情報を通知することができ、これにより一段と簡易な操作により、複数の表示灯における点灯、消灯のパターンを種々に設定することができる。
【００４５】
また例えば点灯時間ＴＯＮ、消灯時間ＴＯＦＦの比率と、遅延時間ＴＤとを記録するようにして、点滅パターン情報に、繰り返し周期の情報を含ませて設定装置２より通知するようにしてもよい。
このようにすれば設定装置で点灯、消灯の繰り返し周期を種々に設定することができ、使い勝手を向上することができる。
【００４６】
また点滅パターン情報に、表示灯３Ａ、３Ｂ、３Ｃ、……、３Ｘの台数の情報を含ませるようにしてもよい、
この場合、例えば繰り返し周期を台数により割り算して、点灯時間ＴＯＮ、遅延時間ＴＤを計算して、上述したと同様にして点灯、消灯を繰り返すことができる。
この場合、設定装置２から表示灯の台数を通知して、適宜、点灯時間を可変することができる。
【００４７】
なおこのような識別情報の通知を前提とした構成に代えて、設定装置２側で各表示灯３Ａ、３Ｂ、３Ｃ、……、３Ｘの点灯のタイミングを計算し、この点灯のタイミングを示す時間情報により点滅パターン情報を通知するようにしてもよい。
すなわちこの場合、設定装置２の演算処理回路１３は、遅延時間ＴＤにより各表示灯３Ａ、３Ｂ、３Ｃ、……、３Ｘの最初の点灯のタイミングを、所定の基準時刻を基準にして計算する。ここでこの基準時刻は、例えば毎分の００秒である。
この最初の点灯のタイミングによる時間情報を、点灯時間、消灯時間と共に通知する。
なお最初の点灯のタイミングに代えて、動作開始時、全ての表示灯を点灯させるようにして、最初の消灯のタイミングを適用するようにしてもよい。
【００４８】
これにより表示灯３Ａ、３Ｂ、３Ｃ、……、３Ｘでは、この最初の点灯のタイミングによる時間情報により現在時刻を判定して点灯を開始した後、この点灯開始時刻に点灯時間、消灯時間を順次加算した時刻で消灯、点灯を繰り返すだけの簡易な処理により、設定装置２で設定された点滅パターンにより点灯、消灯を繰り返すことができる。
【００４９】
図７は、この時間情報による点灯、消灯の時間経過を示す図表である。
点灯時間ＴＯＮを２秒とし、繰り返し周期を１０秒とし、遅延時間ＴＤを１秒とした例であり、ハッチングにより消灯の期間を示す。
この場合、１号機（ＩＤ０）の表示灯３Ａは、ＵＴＣ  ０：００：００〜０：００：０２まで点灯し、その後は１０秒周期で２秒間の点灯を繰り返す。また２号機（ＩＤ１）の表示灯３Ｂは、ＵＴＣ  ：０：００：０１〜０：００：０３まで点灯し、その後は１０秒周期で２秒間の点灯を繰り返す。また３号機（ＩＤ２）の表示灯３Ｃは、ＵＴＣ  ：０：００：０２〜０：００：０４まで点灯し、その後は１０秒周期で２秒間の点灯を繰り返す。また４号機（ＩＤ３）の表示灯３Ｄは、ＵＴＣ  ：０：００：０３〜０：００：０５まで点灯し、その後は１０秒周期で２秒間の点灯を繰り返す。
【００５０】
このように点灯又は消灯のタイミングを示す情報を通知しても、簡易な処理により複数の表示灯における点灯、消灯のパターンを種々に設定することができる。
【００５１】
なおこの場合も、識別情報により点滅パターン情報を通知する場合と同様に、表示灯３Ａ、３Ｂ、３Ｃ、……、３Ｘの台数の情報、繰り返し周期の情報を点滅パターン情報に含めるようにして、各表示灯における最初の点灯のタイミングによる時間情報を通知するようにし、繰り返しに係るタイミングにあっては、表示灯側で求めるようにしてもよい。
【００５２】
以上の構成によれば、携帯型の情報端末装置による設定装置から近距離無線通信で順次、電波時計を備えた表示灯に点滅パターン情報を通知することにより、設定装置で設定された点灯、消灯のパターンにより、複数の表示灯で点灯、消灯を繰り返すことができる。また複数の表示灯で共通の時間情報により、各表示灯に設定された点灯、消灯のパターンでそれぞれ点灯、消灯を繰り返すことができ、例えば手前側から遠ざかるように表示灯の点灯、消灯を繰り返すことができ、さらには当初設定したこれら複数の表示灯による点灯、消灯のパターンが変化しないようにすることができる。また近距離無線通信を有効に利用して、単に設定装置を順次、表示灯に接触させるだけの簡易な操作により点灯、消灯のパターンを設定することができる。これらにより簡易な操作により、複数の表示灯における点灯、消灯のパターンを種々に設定することができる。
【００５３】
またこの点滅パターン情報が、複数の表示灯における配置の順序を示す識別情報であることにより、点滅パターン情報を通知する毎に識別情報を更新しながら、設置の順序で単に設定装置を表示灯に接触させて点滅パターン情報を通知することにより、複数の表示灯に点灯、消灯のパターンを設定することができ、簡易な操作により、複数の表示灯における点灯、消灯のパターンを種々に設定することができる。
【００５４】
また点滅パターン情報に点灯又は消灯のタイミングを示す情報を適用しても、簡易な処理により複数の表示灯における点灯、消灯のパターンを種々に設定することができる。
【００５５】
また点滅パターン情報に点灯、消灯の繰り返し周期の情報を含めることにより、設定装置から点灯、消灯の繰り返し周期を種々に設定することができる。
【００５６】
また点滅パターン情報に表示灯の台数を示す情報を含めることにより、表示灯の台数の通知により、点灯時間等を可変することができる。
【００５７】
〔他の実施形態〕
以上、本発明の実施に好適な具体的な構成を詳述したが、本発明は、本発明の趣旨を逸脱しない範囲で、上述の実施形態の構成を種々に変更することができる。
【００５８】
すなわち上述の実施形態では、直線状に配置した表示灯を順次点灯、消灯させる場合について述べたが、本発明はこれに限らず、例えば交互に点滅させる場合、複数個のグループ毎に、点灯、消灯させる場合等、種々の点灯、消灯のパターンにより点滅させる場合に広く適用することができる。
【００５９】
また上述の実施形態では、道路、工事現場において、通行人、車両に注意を喚起する場合について述べたが、本発明はこれに限らず、例えばイベント等における誘導灯、道路に埋め込んで使用される各種のガイド灯等、種々の利用目的による表示灯システムに広く適用することができる。
【符号の説明】
【００６０】
１  表示灯システム
２  設定装置
３Ａ〜３Ｘ  表示灯
４  標準電波送信所
１１  操作部
１２  送受信部
１３、２５  演算処理回路
１４、２６  メモリ
２１  発光部
２２  標準電波受信部
２３  電波時計
【図１】
2020172834.tif 000003
【図２】
2020172834.tif 000004
【図３】
2020172834.tif 000005
【図４】
2020172834.tif 000006
【図５】
2020172834.tif 000007
【図６】
2020172834.tif 000008
【図７】
2020172834.tif 000009